(57)【要約】【課題】基板等に実装した場合に生じる音鳴きを抑制することが可能な積層コンデンサを提供すること。【解決手段】積層コンデンサＣ１は、誘電体材料からなるコンデンサ素体２と、コンデンサ素体２内に配置された内部電極Ｅ１，Ｅ２と、コンデンサ素体２上に配置された端子電極４，６とを備えている。内部電極Ｅ１は第１の側面２ａで露出する露出部分7を有しており、内部電極Ｅ２は第２の側面２ｂで露出する露出部分を有している。端子電極４は第１の側面２ａに配置された電極部分４ａ，４ｂ，４ｃを有しており、電極部分４ａは内部電極Ｅ１の露出部分7を覆い、電極部分４ｂ，４ｃは電極部分４ａに連続し且つ第１の側面２ａの矢印Ａ方向と交差する縁部に向かって伸びている。矢印Ｃ方向において、電極部分４ｂ，４ｃの長さＷ１は、内部電極Ｅ１の露出部分7の長さＷ３と比して小さく設定されている。【選択図】図１
2008187037.tif 000002
【特許請求の範囲】
【請求項１】
誘電体材料からなる素体と、
少なくとも一部が互いに対向するように前記素体内に配置された複数の内部電極と、
前記素体上に配置された一対の端子電極と、を備え、
前記複数の内部電極それぞれは、前記素体の外表面のうち前記複数の内部電極が対向する第１の方向に平行で且つ互いに対向する一対の側面のいずれかに露出した露出部分を有し、
前記一対の端子電極は第１の電極部分と前記第１の電極部分に連続した第２の電極部分とをそれぞれ有し、前記一対の端子電極のうち一方の端子電極が有する前記第１及び第２の電極部分は前記一対の側面のうち一方の側面に配置され、前記一対の端子電極のうち他方の端子電極が有する前記第１及び第２の電極部分は前記一対の側面のうち他方の側面に配置され、
前記一方の端子電極が有する前記第１の電極部分は前記一方の側面に露出した前記露出部分を覆い、前記一方の端子電極が有する前記第２の電極部分は前記一方の側面の前記第１の方向と交差する縁部に向かって伸び、
前記他方の端子電極が有する前記第１の電極部分は前記他方の側面に露出した前記露出部分を覆い、前記他方の端子電極が有する前記第２の電極部分は前記他方の側面の前記第１の方向と交差する縁部に向かって伸び、
前記第１の方向と前記一対の側面が対向する方向とに直交する第２の方向において、前記一方の端子電極が有する前記第２の電極部分の長さが前記一方の側面に露出した前記露出部分の長さに比して小さくなるように設定されていることを特徴とする積層コンデンサ。
【請求項２】
前記第２の方向において、前記他方の端子電極が有する前記第２の電極部分の長さが前記他方の側面に露出した前記露出部分の長さに比して小さくなるように設定されていることを特徴とする請求項１記載の積層コンデンサ。
【請求項３】
前記第２の方向において、前記一方の端子電極が有する前記第１の電極部分の長さは前記一方の側面に露出した前記露出部分の長さに比して大きくなるように設定され、前記他方の端子電極が有する前記第１の電極部分の長さは前記他方の側面に露出した前記露出部分の長さに比して大きくなるように設定されていることを特徴とする請求項１又は２記載の積層コンデンサ。
【請求項４】
前記一対の端子電極は、前記素体の外表面のうち前記第１の方向に直交する側面に配置されると共に前記第２の電極部分に連続し且つ前記第２の方向において前記第２の電極部分と同一の長さを有する第３の電極部分をそれぞれ更に有することを特徴とする請求項１〜３のいずれか一項記載の積層コンデンサ。
【請求項５】
前記一対の端子電極それぞれにおいて、前記第２及び第３の電極部分の前記第２の方向における長さＷ１と、前記第３の電極部分が配置された前記素体の側面から該側面の最も近くに配置された前記内部電極までの前記第１の方向における長さＴ１とは、
０．４＜Ｗ１／Ｔ１＜８
で表される関係式を満たすことを特徴とする請求項４記載の積層コンデンサ。
【発明の詳細な説明】
【技術分野】
【０００１】
本発明は、積層コンデンサに関するものである。
【背景技術】
【０００２】
この種の積層コンデンサとして、誘電体材料からなる素体と、素体内に形成された複数の内部電極と、素体の両側面を覆うように形成された一対の端子電極とを備えたものが知られている（例えば、特許文献１参照）。
【特許文献１】特開平９−１４８１７４号公報
【発明の開示】
【発明が解決しようとする課題】
【０００３】
上述した積層コンデンサに電圧を印加すると、電歪効果により素体に印加電圧に応じた大きさの機械的歪みが生じることがある。特に交流電圧を印加したときには、この機械的歪みにより積層コンデンサに振動が発生する。そのため、積層コンデンサを基板に実装し、交流電圧を印加した場合には、積層コンデンサの振動が基板に伝播していわゆる音鳴きが発生してしまう。
【０００４】
そこで本発明は、基板等に実装した場合に生じる音鳴きを抑制することが可能な積層コンデンサを提供することを課題とする。
【課題を解決するための手段】
【０００５】
本発明者は、積層コンデンサを基板等に実装した際に発生する音鳴きを低減することについて鋭意検討を行った。その結果、本発明者は、音鳴きは積層コンデンサを実装する基板等と積層コンデンサとの接触部分、すなわち基板のランド電極等と積層コンデンサの端子電極との接触部分で発生するとの知見を得るに至った。
【０００６】
このような検討結果を踏まえ、本発明による積層コンデンサは、誘電体材料からなる素体と、少なくとも一部が互いに対向するように素体内に配置された複数の内部電極と、素体上に配置された一対の端子電極と、を備え、複数の内部電極それぞれは、素体の外表面のうち複数の内部電極が対向する第１の方向に平行で且つ互いに対向する一対の側面のいずれかに露出した露出部分を有し、一対の端子電極は第１の電極部分と第１の電極部分に連続した第２の電極部分とをそれぞれ有し、一対の端子電極のうち一方の端子電極が有する第１及び第２の電極部分は一対の側面のうち一方の側面に配置され、一対の端子電極のうち他方の端子電極が有する第１及び第２の電極部分は一対の側面のうち他方の側面に配置され、一方の端子電極が有する第１の電極部分は一方の側面に露出した露出部分を覆い、一方の端子電極が有する第２の電極部分は一方の側面の第１の方向と交差する縁部に向かって伸び、他方の端子電極が有する第１の電極部分は他方の側面に露出した露出部分を覆い、他方の端子電極が有する第２の電極部分は他方の側面の第１の方向と交差する縁部に向かって伸び、第１の方向と一対の側面が対向する方向とに直交する第２の方向において、一方の端子電極が有する第２の電極部分の長さが一方の側面に露出した露出部分の長さに比して小さくなるように設定されていることを特徴とする。
【０００７】
本発明に係る積層コンデンサにおいて、一方の端子電極は、内部電極の露出部分を覆う第１の電極部分と、第１の電極部分に連続すると共に一方の側面の第１の方向と交差する縁部に伸びる第２の電極部分とを有している。第２の方向において、第２の電極部分の長さは内部電極の露出部分の長さと比して小さくなっている。内部電極の露出部分は第１の電極部分で覆われていることから、第２の方向における第２の電極部分の長さは、内部電極の露出部分を覆う第１の電極部分の長さと比しても小さい。つまり、本発明に係る積層コンデンサでは、一方の端子電極が有する第２の電極部分は第１の電極部分よりも細くなっている。この第２の電極部分を基板のランド電極と接続した場合には、例えば素体の一側面全体を覆うように形成された端子電極を基板のランド電極と接続した場合と比べて、端子電極と基板との接触面積が確実に小さくなる。端子電極と基板のランド電極との接触面積を狭小化することにより、積層コンデンサに起因する振動の基板への伝播を効果的に抑制できる。よって、本発明に係る積層コンデンサによれば、基板に実装した場合の音鳴きを低減することができる。また本発明に係る積層コンデンサでは、第２方向における内部電極の露出部分の長さを十分に取ることができるので、内部電極の露出部分と第１の電極部分とを確実に接触させることができる。よって、内部電極と端子電極とにおける接触不良を抑制することができる。
【０００８】
また、本発明の積層コンデンサでは、第２の方向において、他方の端子電極が有する第２の電極部分の長さが他方の側面に露出した露出部分の長さに比して小さくなるように設定されていることが好ましい。この場合には、他方の端子電極と基板との接触面積も小さくなるので、積層コンデンサの振動は基板に更に伝わりにくくなる。よって、基板等に実装した場合の音鳴きをより低減することができる。
【０００９】
また、本発明の積層コンデンサでは、第２の方向において、一方の端子電極が有する第１の電極部分の長さは一方の側面に露出した露出部分の長さに比して大きくなるように設定され、他方の端子電極が有する第１の電極部分の長さは他方の側面に露出した露出部分の長さに比して大きくなるように設定されていることが好ましい。この場合、内部電極の露出部分は第１の電極部分で確実に覆われるため、積層コンデンサを耐湿性に優れたものとすることができる。
【００１０】
また、本発明の積層コンデンサは、一対の端子電極は、素体の外表面のうち第１の方向に直交する側面に配置されると共に第２の電極部分に連続し且つ第２の方向において第２の電極部分と同一の長さを有する第３の電極部分をそれぞれ更に有することが好ましい。この場合には、第１の方向に直交する側面にも電極部分を配することとなるので、基板のランド電極と積層コンデンサの端子電極との接続がより容易になる。
【００１１】
また、本発明の積層コンデンサは、一対の端子電極それぞれにおいて、第２及び第３の電極部分の第２の方向における長さＷ１と、第３の電極部分が配置された素体の側面から該側面の最も近くに配置された内部電極までの第１の方向における長さＴ１とは、
０．４＜Ｗ１／Ｔ１＜８
で表される関係式を満たすことが好ましい。素体のうち、電歪効果を発生するのは内部電極で挟まれた部分である。Ｗ１／Ｔ１を８未満とすることにより、内部電極で挟まれた部分に電歪効果が発生して素体に機械的歪みが生じた場合でも、歪んだ素体に第３の電極部分が引っ張られることが少なくなる。よって、積層コンデンサを基板等に実装した場合の音鳴きを更に低減することができる。また、Ｗ１／Ｔ１を０．４よりも大きくすることにより、第３の電極部分を基板のランド電極等に接続したときに接触不良が生じることを未然に防げる。
【発明の効果】
【００１２】
本発明によれば、基板等に実装した場合に生じる音鳴きを抑制することが可能な積層コンデンサを提供することができる。
【発明を実施するための最良の形態】
【００１３】
以下、添付図面を参照して、好適な実施形態について詳細に説明する。なお、説明において、同一要素又は同一機能を有する要素には、同一符号を用いることとし、重複する説明は省略する。
【００１４】
図１及び図２に基づいて、本実施形態に係る積層コンデンサＣ１の構成について説明する。図１は本実施形態に係る積層コンデンサの図であって、図１（ａ）は斜視図であり、図１（ｂ）は側面図である。図２は、本実施形態に係る積層コンデンサの断面図である
【００１５】
積層コンデンサＣ１は、図１及び図２に示すように、コンデンサ素体（素体)２と、複数（本実施形態では１２層）の内部電極Ｅと、一対の端子電極４，６とを備えている。
【００１６】
コンデンサ素体２は略直方体形状を呈しており、互いに対向し且つ矢印Ａ方向（第１の方向）に平行な第１の側面２ａ及び第２の側面２ｂと、互いに対向すると共に第１及び第２の側面２ａ，２ｂに連続し且つ矢印Ａ方向に直交する第３の側面２ｃ及び第４の側面２ｄと、互いに対向すると共に第１〜第４の側面２ａ〜２ｄに連続し且つ矢印Ａ方向に平行な第５の側面２ｅ及び第６の側面２ｆと、を有している。ここで、矢印Ａ方向は内部電極Ｅ１，Ｅ２が対向する方向を指す。なお、図１に示される矢印Ｂは第１及び第２の側面２ａ，２ｂが対向する方向を指し、矢印Ｃ（第２の方向）は矢印Ａ方向と矢印Ｂ方向とに直交する方向を指す。
【００１７】
コンデンサ素体２は誘電体材料からなるものであり、コンデンサ素体２の内部には内部電極Ｅが配置されている。図２に示すように、内部電極Ｅは６つのＥ１と６つのＥ２とで構成されている。内部電極Ｅ１，Ｅ２は、少なくとも一部が誘電体層３を挟んで対向するように、交互に積層されている。図１（ｂ）に示すように、内部電極Ｅ１の一端部は第１の側面２ａに露出しており、内部電極Ｅ２の一端部(図示せず)は第２の側面２ｂに露出している。以下、第１の側面２ａに露出した内部電極Ｅ１の一端部を「内部電極Ｅ１の露出部分７」と呼び、第２の側面２ｂに露出した内部電極Ｅ２の一端部を「内部電極Ｅ２の露出部分」と呼ぶ。内部電極Ｅ１の露出部分７と内部電極Ｅ２の露出部分とは、同一の形状及び寸法を有している。内部電極Ｅ１の誘電体層３は、例えば誘電体セラミックを含むセラミックグリーンシートの焼結体から構成される。内部電極Ｅ１，Ｅ２は、導電性ペーストの焼結体から構成される。
【００１８】
コンデンサ素体２上には、端子電極４，６が配置されている。端子電極４は電極部分４ａ，４ｂ，４ｃ，４ｄ，４ｅを有し、端子電極６は電極部分６ａ，６ｂ，６ｃ，６ｄ，６ｅを有している。端子電極４と端子電極６とは、同一の形状及び寸法を有している。端子電極４，６は、例えば、導電性金属粉末及びガラスフリットを含む導電性ペーストをコンデンサ素体２の対応する外表面に焼き付けることによって形成される。なお、必要に応じて、焼き付けられた電極の上にめっき層が形成されることもある。また、印刷によって形成されるとしてもよい。
【００１９】
図１（ｂ）に示すように、端子電極４の電極部分（第１の電極部分）４ａ〜４ｃは、第１の側面２ａに配置されている。電極部分４ａは、内部電極Ｅ１の露出部分７を覆っている。端子電極４の電極部分（第２の電極部分）４ｂ，４ｃは、電極部分４ａにそれぞれ連続しており、第１の側面２ａのうち矢印Ａ方向と交差する縁部に向かってそれぞれ伸びている。より具体的には、電極部分４ｂは電極部分４ａから矢印Ａ方向に伸びて、第３の側面２ｃ側に位置する第１の側面２ａの縁部に至っている。電極部分４ｃは電極部分４ａから矢印Ａ方向に伸びて、第４の側面２ｄ側に位置する第１の側面２ａの縁部に至っている。端子電極４の電極部分（第３の電極部分）４ｄは第３の側面２ｃに配置され、電極部分４ｂに連続している。電極部分（第３の電極部分）４ｅは第４の側面２ｄに配置され、電極部分４ｃに連続している。電極部分４ｂ〜４ｅは、矢印Ｃ方向において同一の長さを有している。
【００２０】
矢印Ｃ方向における電極部分４ｂ〜４ｅの長さをＷ１、矢印Ｃ方向における電極部分４ａの長さをＷ２、矢印Ｃ方向における内部電極Ｅ１の露出部分７の長さをＷ３とすると、電極部分４ｂ〜４ｅの長さＷ１は、内部電極Ｅ１の露出部分７の長さＷ３と比べて小さくなっている。また、電極部分４ａの長さＷ２は、内部電極Ｅ１の露出部分７の長さＷ３と比べて大きくなっている。これらのことからわかるように、電極部分４ｂ〜４ｅの長さＷ１は電極部分４ａの長さＷ２よりも小さくなっている。そのため、端子電極４は、第１の側面２ａにおいて略十字形状を呈することとなる。
【００２１】
図２に示すように、矢印Ａ方向において、電極部分４ｄが配置された側面、すなわち第３の側面２ｃから第３の側面２ｃの最も近くに配置された内部電極Ｅ（図２ではＥ２）までの長さをＴ１とすると、かかる長さＴ１と、電極部分４ｂの長さＷ１とは、以下の関係式（１）を満たしている。
【００２２】
０．４＜Ｗ１／Ｔ１＜８      ・・・（１）
【００２３】
上述した式（１）の根拠について説明する。本発明者らは、Ｗ１／Ｔ１の好適な範囲を検討するために、Ｗ１／Ｔ１が異なる複数の積層コンデンサＣ１を用意し、用意した各積層コンデンサＣ１の電極部分４ｄ，６ｄを基板のランド電極に接続して電圧を印加した。電圧印加時の基板の変形量を計測したところ、図３に示す結果が得られ、Ｗ１／Ｔ１を８よりも大きくすると基板の変形量が５ｎｍを超えてしまうことがわかった。また、Ｗ１／Ｔ１を０．４よりも小さくすると、電極部分４ｄ，６ｄと基板のランド電極との接触面積が過小となり電圧の印加が困難となることがわかった。以上のことから、実装時における電極部分４ｄ，６ｄと基板との接触不良を未然に防ぎ、且つ基板の変形量を低減するには、式（１）を満たすようにすればよいことを見出した。
【００２４】
なお、矢印Ａ方向において、電極部分４ｅが配置された側面、すなわち第４の側面２ｄから第４の側面２ｄの最も近くに配置された内部電極Ｅ（Ｅ１）までの長さは、第３の側面２ｃから第３の側面２ｃの最も近くに配置された内部電極Ｅ（Ｅ２）までの長さと同一になっている。したがって、第４の側面２ｄから第４の側面２ｄの最も近くに配置された内部電極Ｅまでの長さもＴ１と表すことができる。
【００２５】
端子電極６の電極部分（第１の電極部分）６ａ〜６ｃは、第２の側面２ｂに配置されている。電極部分６ａは、内部電極Ｅ２の露出部分（図示せず）を覆っている。電極部分（第２の電極部分）６ｂ，６ｃは電極部分６ａにそれぞれ連続しており、電極部分６ｂは電極部分６ａから矢印Ａ方向に伸びて、第３の側面２ｃ側に位置する第２の側面２ｂの縁部に至っている。電極部分６ｃは電極部分６ａから矢印Ａ方向に伸びて、第４の側面２ｄ側に位置する第２の側面２ｂの縁部に至っている。電極部分（第３の電極部分）６ｄは、電極部分６ｂに連続し且つ第３の側面２ｃに配置されている。端子電極６の電極部分（第３の電極部分）６ｅは、電極部分６ｃに連続し且つ第４の側面２ｄに配置されている。
【００２６】
先述したように、端子電極６は端子電極４と同一の形状及び寸法を有している。したがって、矢印Ｃ方向における電極部分６ｂ〜６ｅの長さについては、電極部分４ｂ〜４ｅと同様にＷ１と表すことができる。矢印Ｃ方向における電極部分６ａの長さについては、電極部分４ａと同様にＷ２と表すことができる。内部電極Ｅ２の露出部分は内部電極Ｅ１の露出部分７と同一の寸法を有しているため、矢印Ｃ方向における内部電極Ｅ２の露出部分の長さについては、内部電極Ｅ１の露出部分７と同様にＷ３と表すことができる。端子電極６は第２の側面２ｂにおいて略十字形状となっている。
【００２７】
以上の構成を有する積層コンデンサＣ１を基板に実装する際には、端子電極４，６の電極部分４ｄ，６ｄを基板のランド電極に接続する。端子電極４，６では、電極部分４ｂ〜４ｅ，６ｂ〜６ｅの長さＷ１が電極部分４ａ，６ａの長さＷ２よりも小さくなっている。すなわち、電極部分４ｂ〜４ｅ，６ｂ〜６ｅが電極部分４ａ，６ａよりも細くなっている。このように細い電極部分４ｄ，６ｄを基板のランド電極に接続することで、端子電極４，６と基板のランド電極との接触面積を小さなものとすることができる。電極部分４ｄ，６ｄを基板のランド電極に接続した後、端子電極４，６を介して内部電極Ｅ１，Ｅ２に電圧を印加すると、内部電極Ｅ１，Ｅ２に挟まれた部分に電歪効果が発生する。電歪効果の影響でコンデンサ素体２に機械的歪みが生じ、これにより積層コンデンサＣ１に振動が発生するが、端子電極４，６と基板との接触面積が小さくなっているので、振動が基板へ伝播することを効果的に抑制できる。したがって、積層コンデンサＣ１を基板等に実装した場合の音鳴きを低減することができる。
【００２８】
積層コンデンサＣ１では、内部電極Ｅ１，Ｅ２の露出部分の長さＷ３が電極部分４ｂ〜４ｅ，６ｂ〜６ｅの長さＷ１と比べて大きいため、内部電極Ｅ１，Ｅ２の露出部分を十分な長さとすることができる。これにより、内部電極Ｅ１，Ｅ２の露出部分と電極部分４ａ，６ａとを確実に接触させることができる。その結果、内部電極Ｅ１，Ｅ２と端子電極４，６との間で接触不良が生じにくくなる。
【００２９】
また、積層コンデンサＣ１では、電極部分４ａ，６ａの長さＷ２は内部電極Ｅ１，Ｅ２の露出部分の長さＷ３に比して大きい。この場合、内部電極Ｅ１，Ｅ２の露出部分は電極部分４ａ，６ａで確実に覆われることになる。よって、積層コンデンサＣ１を耐湿性に優れたものとすることができる。
【００３０】
また、積層コンデンサＣ１において、第３の側面２ｃから第３の側面２ｃの最も近くに配置された内部電極Ｅまでの長さＴ１と、電極部分４ｂ，６ｂの長さＷ１とは、上述の関係式（１）を満たしている。Ｗ１／Ｔ１を８未満とすることで、内部電極Ｅ１，Ｅ２で挟まれた部分に電歪効果が発生し、コンデンサ素体２に機械的歪みが生じても、歪んだコンデンサ素体２に電極部分４ｄ，６ｄが引っ張られることは少なくなる。また、Ｗ１／Ｔ１を０．４よりも大きくすることで、電極部分４ｄ，６ｄを基板のランド電極に接続したときに接触不良が生じることを未然に防げる。
【００３１】
また、積層コンデンサＣ１において、一対の端子電極４，６は、第１及び第２の側面２ａ，２ｂだけでなく第３及び４の側面２ｃ，２ｄにも電極部分を有している。そのため、端子電極４，６と基板のランド電極との接続が容易となる。
【００３２】
以上、本発明の好適な実施形態について説明してきたが、本発明は必ずしも上述した実施形態に限定されるものではなく、その要旨を逸脱しない範囲で様々な変更が可能である。
【００３３】
例えば、内部電極Ｅ１，Ｅ２の積層数は、上記実施形態での数に限られない。
【００３４】
本実施形態では端子電極４，６の電極部分４ｄ，６ｄを基板のランド電極に接続するとしたが、電極部分４ｅ，６ｅを接続するとしてもよい。また、端子電極４，６は電極部分４ｄ，４ｅ，６ｄ，６ｅを有していなくてもよい。この場合、電極部分４ｂ，４ｃの少なくとも一方と、電極部分６ｂ，６ｃの少なくとも一方とが基板のランド電極に接続されることとなる。
【００３５】
また、端子電極４，６は第１及び第２の側面２ａ，２ｂにおいて略十字形状となっているとしたが、略Ｔ字形状であってもよい。より具体的には、電極部分４ｃ，４ｅ，６ｃ，６ｅ、あるいは電極部分４ｂ，４ｄ，６ｂ，６ｄを有していなくてもよい。また、端子電極４，６は同一の形状を有するとしたが、端子電極４，６のいずれか少なくとも一方が上記実施形態にて述べた形状となっていればよい。ただし、端子電極と基板のランド電極との接触面積をより小さくし、音鳴きをより低減するという観点からすれば、端子電極４，６の両方を上記実施形態で示した形状とすることが望ましい。
【図面の簡単な説明】
【００３６】
【図１】本実施形態に係る積層コンデンサの斜視図及び側面図である。
【図２】本実施形態に係る積層コンデンサの断面図である。
【図３】Ｗ１／Ｔ１と基板の変形量との関係を示すグラフである。
【符号の説明】
【００３７】
Ｅ１，Ｅ２…内部電極、４ａ-４ｅ…電極部分、６ａ-６ｅ…電極部分、２…コンデンサ素体、２ａ…第１の側面、２ｂ…第２の側面、２ｃ…第３の側面、２ｄ…第４の側面、２ｅ…第５の側面、２ｆ…第６の側面、４，６…端子電極、７…露出部分、Ｃ１…積層コンデンサ。
【図１】
2008187037.tif 000003
【図２】
2008187037.tif 000004
【図３】
2008187037.tif 000005